(57)【特許請求の範囲】
【請求項１】
モータを内蔵するハウジング１２の一端側に、外刃３６と該外刃に内側から当接して回転する内刃３８とからなるひげそりユニット３４が設けられたシェーバヘッド３０が取り付けられ、
モータにより内刃を回転させるようにした電気かみそりにおいて、
前記ハウジングの一端側に固定された刃受け台２６，２７と、
該刃受け台の中心に、頂部が刃受け台から外方に突出し、付勢部材６２を介して前記刃受け台から突出方向に付勢され該付勢部材の付勢力に抗して沈み込み可能に設けられると共に、前記シェーバヘッドの内面に前記頂部が当接して、前記刃受け台に抜け止めして支持されたシェーバヘッドを揺動可能に支持する支持部６０と、
前記モータの回転が伝達されて回転する駆動部１８ａ、１８ｂ、２０と、
前記刃受け台に設けられた透孔を挿通して刃受け台外方に突出すると共に、一端側において前記駆動部に揺動可能、軸線方向に所定距離進退可能、かつ駆動部により軸線を中心として回転可能に連繋され、他端側が前記内刃に接続されて内刃を回転させる伝達軸２４と、
該伝達軸を駆動部に対して突出方向に付勢する付勢部材２１と
を具備することを特徴とする電気かみそり。
【請求項２】
前記シェーバヘッド３０の裏面に、ひげそりユニット３４をシェーバヘッド３０に支持すると共に、前記伝達軸２４が貫通する孔５１が形成された刃押さえ板４６が頭部付きネジ４８により固定され、
前記支持部６０が、該頭部付きネジ４８の頭部に当接して前記刃押さえ板４６を介して前記シェーバヘッドが支持されていることを特徴とする請求項１記載の電気かみそり。
【請求項３】
前記刃受け台は、ハウジング側に配置される第１刃受け台２６と、該第１刃受け台に重ねて配置され、前記シェーバヘッド３０が覆うようにして装着される第２刃受け台２７とを備え、
前記支持部６０は、半球状の頂部に形成されるとともに、前記第１刃受け台２６に設けられた凹部２６ａと、前記第２刃受け台２７に設けられた凸部２７ａとの間に、該凸部に設けられた透孔に抜け止めされ、かつ付勢部材により突出状態に付勢して設けられていることを特徴とする請求項１記載の電気かみそり。
【請求項４】
前記刃受け台は、ハウジング側に配置される第１刃受け台２６と、該第１刃受け台に重ねて配置され、前記シェーバヘッド３０が覆うようにして装着される第２刃受け台２７とを備え、
前記シェーバヘッドの内壁面と前記第２刃受け台との間に、前記シェーバヘッドの揺動をガイドするガイド部として、
前記シェーバヘッドの内壁面に、ガイド溝３０ｂが設けられ、
前記第２刃受け台に、先端が前記ガイド溝に係合するガイドピン６９が、該第２刃受け台に設けられた透孔６８ａに抜け止めされると共に、該透孔６８ａから先端が外方に突出する向きに付勢部材７０により付勢して設けられていることを特徴とする請求項１記載の電気かみそり。
【請求項５】
前記シェーバヘッドの内壁面に設けられたガイド溝３０ｂの下端には係合爪３０ｃが設けられ、
前記ガイドピンが前記係合爪に係合して前記シェーバヘッドが外れ止めされ、シェーバヘッドを外方に引いた際に、ガイドピン６９の先端が透孔６８ａ内に引っ込み、シェーバヘッドが脱着可能に設けられていることを特徴とする請求項４記載の電気かみそり。
【請求項６】
前記シェーバヘッド３０と前記ハウジング１２の一端側の開口との間に、前記シェーバヘッドと前記ハウジングの開口縁との間を全周にわたって覆うと共に、前記シェーバヘッドを揺動位置から中立位置に復元させる弾性が付与された弾性カバーが設けられていることを特徴とする請求項１〜４のいずれか一項記載の電気かみそり。
【請求項７】
前記弾性カバーが、蛇腹状に形成されたクッション材６４によって形成されていることを特徴とする請求項６記載の電気かみそり。
【請求項８】
前記シェーバヘッドに、前記外刃３６が装着される透孔３１が設けられ、
前記外刃の下端に、前記透孔３１の口縁部に当接して抜け止めされると共に、沈み込み方向に遊びを持たせて前記透孔に係合するフランジが設けられていることを特徴とする請求項１〜７のいずれか一項記載の電気かみそり。
【請求項９】
前記駆動部は、前記モータに連繋して前記伝達軸と同心に回転駆動される伝達ギヤ２０を備え、
該伝達ギヤには、前記伝達軸の方向に延出する筒部２０ｂが設けられると共に、該筒部に伝達軸の軸方向にのびる複数のスリットが形成され、
前記伝達軸の一端側には、前記各々のスリットに遊嵌して、該伝達軸を前記伝達ギヤに揺動可能、軸線方向に所定距離進退可能、かつ軸線を中心として回転可能に連繋する複数の突部が設けられていることを特徴とする請求項１記載の電気かみそり。
【発明の詳細な説明】
【０００１】
【産業上の利用分野】
本発明は、電気かみそりに関する。
【０００２】
【従来の技術】
一般に電気かみそりは、外刃の内側で内刃を回転させ、外刃と内刃との間の剪断力によりひげを切断するものである。この内刃と外刃とからなるひげそりユニットは、シェーバヘッドに対し１つだけ設けられるものもあるが、シェーバヘッドに対し正三角形の頂点に位置させて３個配置したものもある。このように３個の外刃を有するものでは、シェービング時に各回転刃及び外刃が使用者のひげそり部分に均一に接触できるように個々に沈み込むように構成されたものもある。また、３個の外刃の沈み込み量を調節可能としたものも知られている（特公昭６２−４７５５３号）。
【０００３】
特公昭６２−４７５５３号の発明は、電気かみそりの刃受け台を覆ってシェーバヘッドを着脱自在に設け、このシェーバヘッドに、外刃と内刃とを有するひげそりユニットの該外刃を内側から突出させる３個の開口を設け、刃受け台とシェーバヘッドとの間に、３つのひげそりユニットのそれぞれの内刃を回転可能に受容する軸受けリングを有する三角板状のフローティングホルダーを配置し、このフローティングホルダーをスプリングで沈み込み可能に保持するとともに、フローティングホルダーの沈み込み量を調節可能にしたものである。
【０００４】
【発明が解決しようとする課題】
上記電気かみそりは、シェーバヘッドに設けた外刃と内刃とを有するひげそりユニットが個々に沈み込んだり、沈み込み量を調節するものであるが、この沈み込みだけでは顔の顎等の曲面に対応することができない。このため、顔の顎等の曲面に対応するシェーバヘッドを有する電気かみそりの出現が望まれている。また、シェーバヘッドに１個のひげそりユニットを設けた電気かみそりにおいても、同様の要請がある。
【０００５】
そこで、本発明は、顔の曲面に沿ってシェーバヘッドを揺動させて傾きを変えることができる電気かみそりを提供することを目的とする。
【０００６】
【課題を解決するための手段】
上記課題を解決するため、本発明は次の構成を備える。
すなわち、モータを内蔵するハウジングの一端側に、外刃と該外刃に内側から当接して回転する内刃とからなるひげそりユニットが設けられたシェーバヘッドが取り付けられ、モータにより内刃を回転させるようにした電気かみそりにおいて、前記ハウジングの一端側に固定された刃受け台と、該刃受け台の中心に、頂部が刃受け台から外方に突出し、付勢部材を介して前記刃受け台から突出方向に付勢され該付勢部材の付勢力に抗して沈み込み可能に設けられると共に、前記シェーバヘッドの内面に前記頂部が当接して、前記刃受け台に抜け止めして支持されたシェーバヘッドを揺動可能に支持する支持部と、前記モータの回転が伝達されて回転する駆動部と、前記刃受け台に設けられた透孔を挿通して刃受け台外方に突出すると共に、一端側において前記駆動部に揺動可能、軸線方向に所定距離進退可能、かつ駆動部により軸線を中心として回転可能に連繋され、他端側が前記内刃に接続されて内刃を回転させる伝達軸と、該伝達軸を駆動部に対して突出方向に付勢する付勢部材とを具備することを特徴とする。
また、前記シェーバヘッドの裏面に、ひげそりユニットをシェーバヘッドに支持すると共に、前記伝達軸が貫通する孔が形成された刃押さえ板が頭部付きネジにより固定され、前記支持部が、該頭部付きネジの頭部に当接して前記刃押さえ板を介して前記シェーバヘッドが支持されていることを特徴とする。
【０００７】
また、前記刃受け台は、ハウジング側に配置される第１刃受け台と、該第１刃受け台に重ねて配置され、前記シェーバヘッドが覆うようにして装着される第２刃受け台とを備え、前記支持部は、半球状の頂部に形成されるとともに、前記第１刃受け台に設けられた凹部と、前記第２刃受け台に設けられた凸部との間に、該凸部に設けられた透孔に抜け止めされ、かつ付勢部材により突出状態に付勢して設けられていることを特徴とする。
また、前記刃受け台は、ハウジング側に配置される第１刃受け台と、該第１刃受け台に重ねて配置され、前記シェーバヘッドが覆うようにして装着される第２刃受け台とを備え、前記シェーバヘッドの内壁面と前記第２刃受け台との間に、前記シェーバヘッドの揺動をガイドするガイド部として、前記シェーバヘッドの内壁面に、ガイド溝が設けられ、前記第２刃受け台に、先端が前記ガイド溝に係合するガイドピンが、該第２刃受け台に設けられた透孔に抜け止めされると共に、該透孔から先端が外方に突出する向きに付勢部材により付勢して設けられていることを特徴とする。
また、前記シェーバヘッドの内壁面に設けられたガイド溝の下端には係合爪が設けられ、前記ガイドピンが前記係合爪に係合して前記シェーバヘッドが外れ止めされ、シェーバヘッドを外方に引いた際に、ガイドピンの先端が透孔内に引っ込み、シェーバヘッドが脱着可能に設けられていることを特徴とする。
また、前記シェーバヘッドと前記ハウジングの一端側の開口との間に、前記シェーバヘッドと前記ハウジングの開口縁との間を全周にわたって覆うと共に、前記シェーバヘッドを揺動位置から中立位置に復元させる弾性が付与された弾性カバーが設けられていることを特徴とする。
また、前記弾性カバーが、蛇腹状に形成されたクッション材によって形成されていることを特徴とする。
【０００８】
前記シェーバヘッドに、前記外刃が装着される透孔が設けられ、前記外刃の下端に、前記透孔の口縁部に当接して抜け止めされると共に、沈み込み方向に遊びを持たせて前記透孔に係合するフランジが設けられていることを特徴とする。
【０００９】
前記駆動部は、前記モータに連繋して前記伝達軸と同心に回転駆動される伝達ギヤを備え、該伝達ギヤには、前記伝達軸の方向に延出する筒部が設けられると共に、該筒部に伝達軸の軸方向にのびる複数のスリットが形成され、前記伝達軸の一端側には、前記各々のスリットに遊嵌して、該伝達軸を前記伝達ギヤに揺動可能、軸線方向に所定距離進退可能、かつ軸線を中心として回転可能に連繋する複数の突部が設けられていることを特徴とする。
【００１０】
【作用】
次に、作用について説明する。
皮膚にシェーバヘッドの外刃が当たるようにしてひげを剃ると、シェーバヘッド裏面中心の凸部が刃受け台中心の支持部で支持されているため、顔の皮膚の変化に沿ってシェーバヘッドが揺動して傾き、皮膚にフィットしたひげ剃りを実現できる。また、支持部が刃受け台に対して沈み込み可能とすると、シェーバヘッド全体が沈み込みこともでき、さらに顔の皮膚に沿ったシェービングが可能となる。
【００１１】
なお、シェーバヘッドの揺動はガイド部によりガイドされつつ行われ、このとき伝達軸も沈み込みシェーバヘッドの揺動に追従する。また、シェービングヘッドとハウジングの一端側との間の間隙を覆う蛇腹状のカバーを設けることにより、シェーバヘッドの揺動を容易に復元することができる。
【００１２】
【実施例】
以下、本発明の好適な実施例について添付図面に基づいて詳細に説明する。
【００１３】
図１は本発明に係る電気かみそりの内部機構を示す部分断面側面図である。図２はヘッド部分の分解斜視図である。
【００１４】
図１において、１２は電気かみそり１０のハウジングである。このハウジング１２の一端側のヘッド部側は開口しており、この開口１２ａ内には固定フレーム１４が嵌合している。固定フレーム１４は、ヘッド部の開口１２ａに嵌合して閉塞するフレーム本体１４Ａと、該フレーム本体１４Ａと一体であり、モータ１６が固定されるモータ固定部１４Ｂとから成る。
【００１５】
モータ１６の回転軸１６ａは、モータ固定部１４Ｂから上方に延出して先端にベベルギア１８ａが固定されている。一方、フレーム本体１４Ａの表裏面に突出する駆動軸１７のフレーム本体１４Ａ裏面側の突出部にベベルギア１８ｂが設けられ、回転軸１６ａ上のベベルギア１８ａと歯合している。
【００１６】
上記駆動軸１７の先端側にはギア１８ｃが固定され、このギア１８ｃは固定フレーム１４のフレーム本体１４Ａ上に軸支された３個の駆動部としての伝達ギア２０・・・に歯合している。各伝達ギア２０・・・は正三角形の頂部に配置されている。伝達ギア２０・・・上には、それぞれ後述する伝達軸２４が係合している。
【００１７】
３個の伝達ギア２０および伝達軸２４は同一構造であるため、ここで１個の伝達ギア２０および伝達軸２４を例に構造を説明する。伝達ギア２０には、フレーム本体１４Ａに軸支された軸２２に嵌合する軸筒２０ａが形成されている。軸筒２０ａには、スプリング２１が巻回しているとともに、スプリング２１の上部は伝達軸２４の内筒２４ａ内に位置し、伝達軸２４を上方に付勢している。
【００１８】
伝達軸２４の下端のフランジ２５には、外方に突出する突部２５ａが等間隔に３個設けられている。この突部２５ａは、伝達ギア２０上のガイド筒２０ｂに設けた軸線方向の３つのスリット２０ｅにそれぞれ遊嵌している。このため、伝達ギア２０に対し、伝達軸２４は軸線方向に所定距離進退可能、かつ一体に回転可能である。また、伝達軸２４のフランジ２５の突部２５ａ以外の部位は、ガイド筒２０ｂ内に位置するとともにガイド筒２０ｂ内壁面の爪２０ｃにより抜け止めされている。
【００１９】
前記ハウジング１２の開口１２ａには、固定フレーム１４と離間して第１刃受け台２６が設けられている。この第１刃受け台２６に第２刃受け台２７が重ねて設けられている。第１刃受け台２６と第２刃受け台２７との３個の透孔から、前記伝達軸２４・・・がそれぞれ突出している。また、第２刃受け台２７を覆うようにシェーバヘッド３０が第２刃受け台２７に対して後述するように着脱自在に設けられている。シェーバヘッド３０には、正三角の頂部に位置するように３つの透孔３１・・・が形成され、それぞれに内側からひげそりユニット３４が装着されている。
【００２０】
前記ひげそりユニット３４は、外刃３６と内刃３８とから成る（図２参照）。外刃３６は、キャップ状であり、上面に環状の刃面３７を有し、この刃面３７には全域にわたって放射状のスリット３７ａが形成されている。
【００２１】
図２に示すように、外刃３６下端にフランジ３６ａが形成されている。このフランジ３６ａはシェーバヘッド３０の裏面側から透孔３１の口縁部に当接して抜け止めされ、この透孔３１の口縁部には段部３１ａが形成されている。一方、フランジ３６ａの一部に切欠き３６ｂ、３６ｂが形成され、段部３１ａの形状もフランジ３６ａと同一形状であり、段部３１ａに外刃３６のフランジ３６ａが嵌まると、外刃３６は回転不能となる。
【００２２】
また、シェーバヘッド３０の透孔３１の段部３１ａに臨んで、シェーバヘッド３０の角部分から舌片３１ｂが設けられている（図３および図４参照）。このため、外刃３６をセットする際には、舌片３１ｂ位置の段部３１ａに外刃３６のフランジ３６ａを挿入するようにしてセットする。
【００２３】
前記シェーバヘッド３０の透孔３１の段部３１ａの深さをＨ、外刃３６のフランジ３６ａの厚みをＤとする。すると、外刃３６のフランジ３６ａは舌片３１ｂに規制され、（Ｈ−Ｄ）の遊びを有し、外刃３６は（Ｈ−Ｄ）分だけ沈み込むことができる（図４参照）。一方、内刃３８は、中央の円板３９から複数のアーム３９ａが起立し、このアーム３９ａの先端にそれぞれ外刃３６・・・の内側面に沿って摺動する刃体４０が設けられている。刃体４０は回転方向に傾斜している。
【００２４】
内刃３８の構造について、図１および図２を参照しつつ説明する。内刃３８の円板３９中央には、嵌合孔３９ｂが形成されている。この嵌合孔３９ｂは、矩形に穿設されるとともに各辺に半円状の切欠きが形成されている。内刃３８の嵌合孔３９ｂに、ファン４２の一部が一体的に嵌合する。ファン４２の中心ブロック４３の上面には、内刃３８の嵌合孔３９ｂと同形の、嵌合孔３９ｂに嵌合する嵌合突起４３ａが形成されている。また、中心ブロック４３の底面に前記伝達軸２４先端の板状に形成された伝達片２４ｃが挿入する嵌合孔４３ｂが形成さている。この嵌合孔４３ｂの周縁は、伝達軸２４先端の伝達片２４ｃが嵌合し易いようにすり鉢状になっている。また、中心ブロック４３の周面から２つの羽根４４、４４が径方向に延出するとともに、内刃３８の刃体４０と同一方向に傾斜している。
【００２５】
図６に、本実施例の電気かみそりの内部構造について、ベベルギア１８よりも上部側の構成部分を拡大して示す。
シェーバヘッド３０の裏面には刃押さえ板４６が設けられている。刃押さえ板４６の中心には頭部付きネジ４８が嵌合しており、この頭部付きネジ４８によりシェーバヘッド３０裏面中心に刃押さえ板４６が固定されている。また、刃押さえ板４６には、シェーバヘッド３０の透孔３１・・・に対応する孔５１が形成されている。この孔５１は、伝達軸２４が貫通するとともに、剪断されたひげ等を下方に落下させるためのものである。一方、刃押さえ板４６は、シェーバヘッド３０と一体であり、シェーバヘッド３０を外した際に、ひげそりユニット３４およびファン４２の落下を防止している。
【００２６】
前記第１刃受け台２６と第２刃受け台２７の中心には、第１刃受け台２６に設けた凹部２６ａと第２刃受け台２７に設けた凸部２７ａとにより空間２８が形成されている。凸部２７ａには透孔２７ｂが形成され、この透孔２７ｂから支持部６０の先端が突出するとともに、下端外周に設けたフランジ部により支持部６０か抜け止めされている。なお、支持部６０は、空間２８内に配置されたスプリング６２により突出状態に付勢され、この支持部６０先端の半球状の頂部は前記頭部付きネジ４８の頭部（凸部）に当接している。このため、シェーバヘッド３０に力が加わると、シェーバヘッド３０が支持部６０先端を中心に揺動するとともに、スプリング６２の付勢力より大きな力が加わった際には支持部６０と共にシェーバヘッド３０が沈み込む。
【００２７】
前記ハウジング１２の開口１２ａとシェーバヘッド３０との間の全周には、弾性カバーとして蛇腹状のクッション材６４が配置されている。クッション材６４は筒状であり、上部が内側に折り返され、蛇腹状の外側の下端がハウジング１２の開口１２ａの縁と第１刃受け台２６とで挟持され、内側の折り返し部の下端は第１刃受け台２６と第２刃受け台２７の周縁で挟持されている。なお、クッション材６４はゴム製や合成樹脂製であり、伸縮可能かつ変形可能である。このため、クッション材６４により、揺動しているシェーバヘッド３０に加わった力を解除すると、シェーバヘッド３０は中立位置に復元する。
【００２８】
前記第２刃受け台２７の三方の辺の中央には、シェーバヘッド３０を第２刃受け台２７に脱着自在であるとともに、シェーバヘッド３０の揺動および沈み込みの際にガイドするガイド部６６が設けられている（図１では一つのみ図示）。
【００２９】
ここで、ガイド部６６の構造について説明する。第２刃受け台２７の正三角形の各辺縁の中央にシェーバヘッド３０方向に起立する起立部６８が形成されている。この起立部６８の外側面は閉塞されている一方、該側面の上部には外方に開放する透孔６８ａが形成されている。この起立部６８の透孔６８ａから突出するガイドピン６９が抜け止め配置されている。なお、ガイドピン６９は、付勢部材としてのスプリング７０により付勢され先端が突出している。
【００３０】
前記各ガイドピン６９の先端が嵌入すべく、対応して、前記シェーバヘッド３０の内壁面にガイド溝３０ｂが形成されている。このガイド溝３０ｂの下端には係合爪３０ｃが形成され、この係合爪３０ｃが前記ガイドピン６９に係合している。そして、シェーバヘッド３０が揺動および沈み込む際には、ガイドピン６９にガイド溝３０ｂがガイドされつつ、シェーバヘッド３０が揺動および沈み込むこととなる。
【００３１】
そして、シェーバヘッド３０のガイド溝３０ｂに嵌入しているガイドピン６９は、係合爪３０ｃにより外れ止めされているが、シェーバヘッド３０を外方（シェーバヘッド３０の剃り面３０ａ方向）に引くことによりガイドピン６９先端部が前記透孔６８ａ内に引っ込み、シェーバヘッド３０が脱着可能である。
【００３２】
なお、シェーバヘッド３０は前記支持部６０、クッション材６４および各伝達軸２４により支持されることとなり、シェーバヘッド３０の揺動および沈み込みは支持部６０のスプリング６２、クッション材６４および各伝達軸２４のスプリング２１の弾性力により中立位置に付勢支持されることとなる。
【００３３】
本実施例の電気かみそりは上述するように構成されている。ここで、電気かみそりの動きについて説明する。まず、電気かみそり１０の駆動源をオンし、シェーバヘッド３０の外刃３６・・・を皮膚に当てつつ、動かしてひげを剃る。すなわち、外刃３６の剃り面３７の放射状のスリット３７ａ・・・からひげが侵入し、侵入したひげを外刃３６と内刃３８の刃体４０・・・により剪断する。剪断されたひげは、内刃３８と共に回転しているファン４２の羽根４４・・・により内部にあたかも吸い込むように、はらい落とされる。そして、落下したひげは、第２刃受け台２７上に集められることとなる。一方、ひげが第２刃受け台２７上に溜まったら、シェーバヘッド３０を外して、刃受け台２６上のひげを取り除く。
【００３４】
ひげを剃る際に、シェーバヘッド３０の中心で、すなわちシェーバヘッド３０が頭部付きネジ４８を介して球面状の支持部６０頂部で支持されているため、シェーバヘッド３０の周縁部のどの位置でも沈み込むことができ、皮膚の曲面に容易に追従して剃り面３０ａの傾きを変えることができ、皮膚に沿った剃り面３０ａの傾きが可能となる。また、シェーバヘッド３０自体も、スプリング６２の付勢力に抗しつつ支持部６０を介して沈み込むこともできる。
【００３５】
上述するようにシェーバヘッド３０自体が沈み込むとともに、周縁部も沈み込み可能でありシェーバヘッド３０の剃り面３０ａの傾きを変えることができる。このためには、シェーバヘッド３０に対して外刃３６・・・は一体的に、固定して設けるのがよいが、より皮膚に沿ったシェービングを実現するため、外刃３６・・・も皮膚に沿って沈み込みあるいは傾くことが理想でり、それを実現できる構造としてある。
【００３６】
すなわち、シェーバヘッド３０に装着された外刃３６・・・は、舌片３１ｂにより規制され、（Ｈ−Ｄ）だけ沈み込み、あるいは刃面３７の角度を変化させることができる。なお、頭部付きネジ４８によりシェーバヘッド３０裏面に固定された刃押さえ板４６により、内刃３８の沈み込みも規制されている。
【００３７】
次に、トリマーユニット７２の構造について説明する。電気かみそり１０の後頭部に形成された凹所１０Ｂにトリマーユニット７２が配置されている。凹所１０Ｂを閉塞するように側面ヘ字状のトリマー基板７４の上部が軸７３止めされている。一方、トリマー基板７４の下部には固定刃７６ａと可動刃７６ｂが設けられ、この可動刃７６ｂを動かすための駆動レバー７８の中途部がトリマー基板７４裏面に軸止めされている。また、トリマー基板７４の側方には側壁７５、７５が形成され、この側壁７５、７５内側面には、側壁７５、７５に沿ったヘ字状のガイド溝７５ａ、７５ａが形成されている。
【００３８】
前記凹所１０Ｂのトリマー基板７４の下方にはスライドツマミ８０が上下にスライド可能に設けられている。このスライドツマミ８０の上部は、前記トリマー基板７４の裏側に浸入しており、この部位の裏面には軸８１を中心に揺動する駆動レバー８２が設けられている。この駆動レバー８２の上端は表面側に突出している。また、スライドツマミ８０の上端には前記ガイド溝７５ａ、７５ａに係合する作動アーム８２、８２が設けられている。そして、スライドツマミ８０を上方に移動すると、作動アーム８２、８２がトリマー基板７４を軸７３を中心に上方に回動させ、トリマー基板７４下部の固定刃７６ａと可動刃７６ｂとを斜め上方に向ける（図５参照）。このとき、前記駆動レバー７８と駆動レバー８２とが係合する。なお、駆動レバー８２は、前記モータ１６から連繋して揺動するものである。
【００３９】
なお、上記実施例において、シェーバヘッド３０を支持している支持部６０は必ずしも沈み込まなくても良く、例えば第２刃受け台２７の中心に一体的に形成しておいても良い。また、クッション材６４がない場合には、各伝達軸２４のスプリング２１の弾性力のみでシェーバヘッド３０を付勢支持するようにしても良い。さらに、前記シェーバヘッド３０を支持部６０でなく、クッション材６４および各伝達軸２４のみで支持するようにし、クッション材６４および各伝達軸２４を支持部としても良い。さらに、クッション材６４は蛇腹状でなく、板状、ブロック状でもよいなど変形可能であれば形状は限定されない。
【００４０】
また、上記実施例では、シェーバヘッド３０にひげそりユニット３４を３個設けたが、１個設けるようにしても良く、外刃や内刃の形状も限定されない。
以上本発明の好適な実施例を挙げて種々説明したが、本発明は上記実施例に限定されるものでなく、発明の精神を逸脱しない範囲内で多くの改変を施し得ることはもちろんである。
【００４１】
【発明の効果】
本発明に係る電気かみそりは上述するように構成され、シェーバヘッドの揺動や沈み込みができ、シェーバヘッドの剃り面の傾きを変化させることができる。このため、本発明の電気かみそりは、皮膚に沿ったシェービングを実現することができる等の著効を奏する。
【図面の簡単な説明】
【図１】本発明に係る電気かみそりのヘッド部の断面説明図である。
【図２】ヘッド部分の分解斜視図である。
【図３】シェーバヘッドの背面図である。
【図４】シェーバヘッドの断面図である。
【図５】トリマーユニットを起こした状態を示す断面説明図である。
【図６】    本発明に係る電気かみそりのヘッド部の主要部を拡大して示す断面説明図である。
【符号の説明】
１０  電気かみそり
１２  ハウジング
１４  固定フレーム
１６  モータ
２４  駆動軸
２６  第１刃受け台
２７  第２刃受け台
３０  シェーバヘッド
３６  外刃
３８  内刃
４０  刃体
４２  ファン
４４  羽根
４６  刃押さえ板
４８  頭部付きネジ
６０  支持部
７２  トリマーユニット
【図１】
0003682997.tif 000002
【図２】
0003682997.tif 000003
【図３】
0003682997.tif 000004
【図４】
0003682997.tif 000005
【図５】
0003682997.tif 000006
【図６】
0003682997.tif 000007